(57)【要約】    【課題】  ケース本体とモータ固定子とに生じる振動を抑制することができる空気調和装置の室内機を提供する。    【解決手段】  室内機２は、ケース本体と、空気調和部と、送風装置と、固定子取付部材７７とを備えている。空気調和部は、ケース本体の内部に配置されている。送風装置は、モータ固定子７２０と、モータ回転子７２１と、ファンロータ７１とを有している。モータ固定子７２０は、ケース本体の内部に配置されている。モータ回転子７２１は、モータ固定子７２０により回転軸を中心に回転させられる。ファンロータ７１は、モータ回転子７２１に連結されており、空気調和部で空気調和された空気を室内に送り出す。固定子取付部材７７は、モータ固定子７２０とケース本体との間に設けられている。この固定子取付部材７７には、モータ回転子７２１の回転方向の剛性を小さくするための孔または凹部７７ｂが形成されている。【選択図】        図６
2005030689.tif 000002
【特許請求の範囲】
【請求項１】
室内の空気を内部に導入して空気調和した後に前記室内に送り出す空気調和装置（１）の室内機（２）であって、
ケース本体（６，７０）と、
前記ケース本体（６，７０）の内部に配置され、前記ケース本体（６，７０）の内部に導入された空気を空気調和するための空気調和部（５）と、
前記ケース本体（６，７０）の内部に配置されるモータ固定子（７２０）と、前記モータ固定子（７２０）により回転軸を中心に回転させられるモータ回転子（７２１）と、前記モータ回転子（７２１）に連結され前記空気調和部（５）で空気調和された空気を前記室内に送り出すファンロータ（７１）とを有する送風装置（８）と、
前記モータ固定子（７２０）と前記ケース本体（６，７０）との間に設けられ、前記モータ回転子（７２１）の回転方向の剛性を小さくするための孔（１７７ｄ）または凹部（７７ｂ，１７７ｂ）が形成されている固定子取付部材（７７，１７７）と、
を備える空気調和装置（１）の室内機（２）。
【請求項２】
前記固定子取付部材（７７，１７７）は、直方体形状の弾性部材であり、長辺方向が前記モータ回転子（７２１）の回転方向に沿うように前記モータ固定子（７２０）に装着されている、
請求項１に記載の空気調和装置（１）の室内機（２）。
【請求項３】
前記モータ固定子（７２０）には径方向外方に突出した環状部（７２０ａ）が一体に形成されており、前記環状部（７２０ａ）に前記固定子取付部材（７７，１７７）が装着されている、
請求項１または２に記載の空気調和装置（１）の室内機（２）。
【請求項４】
前記環状部（７２０ａ）には外周面に面取り部（７２０ｃ）が設けられており、前記面取り部（７２０ｃ）に前記固定子取付部材（７７，１７７）が接するように装着されている、
請求項３に記載の空気調和装置（１）の室内機（２）。
【請求項５】
前記環状部（７２０ａ）には径方向外方に突出した突出部（７２０ｂ）が形成されており、前記突出部（７２０ｂ）に嵌合可能な装着用凹部（７７ａ，１７７ａ）が前記固定子取付部材（７７，１７７）に形成されている、
請求項３または４に記載の空気調和装置（１）の室内機（２）。
【請求項６】
前記固定子取付部材（７７，１７７）には、前記孔（１７７ｄ）または前記凹部（７７ｂ，１７７ｂ）が、前記装着用凹部（７７ａ，１７７ａ）の前記モータ回転子（７２１）の回転方向片側または両側に形成されている、
請求項５に記載の空気調和装置（１）の室内機（２）。
【請求項７】
前記固定子取付部材（７７，１７７）には、前記孔（１７７ｄ）または前記凹部（７７ｂ，１７７ｂ）が、前記モータ回転子（７２１）の回転方向に間隔を隔てて複数形成されている、
請求項１から５のいずれかに記載の空気調和装置（１）の室内機（２）。
【請求項８】
前記モータ回転子（７２１）は円筒部（７２１ａ）と前記円筒部（７２１ａ）の一端に一体に形成される底部（７２１ｂ）とからなり、前記固定子取付部材（７７，１７７）の少なくとも一部が前記円筒部（７２１ａ）の他端と前記環状部（７２０ａ）との回転軸方向間に配置されている、
請求項４から７のいずれかに記載の空気調和装置（１）の室内機（２）。
【請求項９】
前記モータ回転子（７２１）は、前記モータ固定子（７２０）の径方向外方に配置される、
請求項１から８のいずれかに記載の空気調和装置（１）の室内機（２）。
【発明の詳細な説明】
【技術分野】
【０００１】
本発明は、空気調和装置の室内機に関する。
【背景技術】
【０００２】
従来から、ビルや住宅等において調和された空気を室内に送風することにより、室内の快適性を向上させる空気調和装置が知られている。例えば、エアコンは、温風や冷風を室内に送風することにより、室内を快適な温度に保つことができる。
このような空気調和装置には、室内に調和された空気を送風するための室内機が設けられている（例えば、特許文献１参照。）。この空気調和装置の室内機は、ケース本体と、空気調和部と、送風装置と、固定子取付部材とを備えている。空気調和部は、ケース本体の内部に導入された空気を空気調和するためのものであり、ケース本体の内部に配置されている。送風装置は、モータ固定子と、モータ回転子と、ファンロータとを有している。モータ固定子は、ケース本体の内部に配置されている。モータ回転子は、モータ固定子により回転軸を中心に回転させられる。ファンロータは、モータ回転子に連結されており、空気調和部で空気調和された空気を室内に送り出している。
【０００３】
このような空気調和装置の室内機を用いて、室内に空気を送風するためには、ケース本体内に配置されたモータ固定子によってモータ回転子を回転させる。そして、モータ回転子に連結されたファンロータによって空気調和部で空気調和された空気が室内に送り出される。
【特許文献１】実公平６−４０９５２号公報
【発明の開示】
【発明が解決しようとする課題】
【０００４】
従来の空気調和装置の室内機では、モータ固定子によってモータ回転子を回転させて、モータ回転子に連結されたファンロータをモータ回転子とともに回転させている。このとき、モータ回転子やファンロータに回転速度むらやトルクむら等が生じたりすると、ファンロータからはケース本体に、モータ回転子からはモータ固定子に回転方向の振動が伝達される。これらケース本体に伝達された振動とモータ固定子に伝達された振動とが、互いに異なる位相で振動したり共振したりすると、モータ固定子の収納されたケース本体の内部から異音が発生するおそれがある。このようにケース本体の内部から異音が発生しないようにするためには、ケース本体とモータ固定子とに生じる振動を抑制することができるような設計をしておく必要がある。
【０００５】
そこで、本発明では、簡易な構成によりケース本体とモータ固定子とに生じる振動を抑制することができる空気調和装置の室内機を提供することを目的とする。
【課題を解決するための手段】
【０００６】
請求項１に記載の空気調和装置の室内機は、室内の空気を内部に導入して空気調和した後に室内に送り出す空気調和装置の室内機であって、ケース本体と、空気調和部と、送風装置と、固定子取付部材とを備えている。空気調和部は、ケース本体の内部に導入された空気を空気調和するためのものであり、ケース本体の内部に配置されている。送風装置は、モータ固定子と、モータ回転子と、ファンロータとを有している。モータ固定子は、ケース本体の内部に配置されている。モータ回転子は、モータ固定子により回転軸を中心に回転させられている。ファンロータは、モータ回転子に連結されており、空気調和部で空気調和された空気を室内に送り出している。固定子取付部材は、モータ固定子とケース本体との間に設けられている。この固定子取付部材には、モータ回転子の回転方向の剛性を小さくするための孔または凹部が形成されている。
【０００７】
この空気調和装置の室内機には、モータ固定子とケース本体との間に固定子取付部材が設けられている。この固定子取付部材には、モータ回転子の回転方向の剛性を小さくするための孔または凹部が形成されている。これにより、モータ回転子やファンロータに回転速度むらやトルクむら等が生じることがあっても、ケース本体とモータ固定子とに生じる振動を、固定子取付部材の孔または凹部によって吸収して抑制することができる。つまり、固定子取付部材をモータ固定子とケース本体との間に設けるといった簡易な構成で、ケース本体とモータ固定子とに生じる振動を抑制することができる。このとき、固定子取付部材に形成された孔または凹部は、固定子取付部材の剛性をモータ回転子の回転方向に小さくするように設けられるので、モータ回転子の回転軸方向へのモータ固定子の固定度は維持することができる。
【０００８】
請求項２に記載の空気調和装置の室内機は、請求項１に記載の空気調和装置の室内機において、固定子取付部材が、直方体形状の弾性部材である。この固定子取付部材は、長辺方向がモータ回転子の回転方向に沿うようにモータ固定子に装着されている。この場合、固定子取付部材が弾性部材であるので、固定子取付部材の弾性によって、ケース本体とモータ固定子とに生じる振動を吸収して抑制することができる。また、固定子取付部材は長辺方向がモータ回転子の回転方向に沿うようにモータ固定子に装着されているので、固定子取付部材に孔または凹部が形成されても、モータ固定子の剛性がモータ回転子の回転方向に大きく低下しないようにすることができる。
【０００９】
請求項３に記載の空気調和装置の室内機は、請求項１または２に記載の空気調和装置の室内機において、モータ固定子の径方向外方に突出した環状部が、モータ固定子に一体に形成されている。この環状部に固定子取付部材が装着されている。この場合、環状部に固定子取付部材が装着されているので、モータ回転子の回転軸上から固定子取付部材までの垂直方向距離を大きく確保することができる。これにより、モータ回転子からモータ固定子に振動が伝達されたときに、環状部から固定子取付部材に入力されるモータ回転子の回転方向の外力が小さくなり、モータ回転子からモータ固定子に伝達された振動を固定子取付部材によって抑制しやすくなる。
【００１０】
請求項４に記載の空気調和装置の室内機は、請求項３に記載の空気調和装置の室内機において、環状部には外周面に面取り部が設けられており、面取り部に固定子取付部材が接するように装着されている。この場合、環状部の面取り部に固定子取付部材が接するように装着されているので、固定子取付部材と環状部との密着性を向上することができる。これにより、モータ回転子からモータ固定子に伝達された振動を、固定子取付部材に有効に伝達することができ、固定子取付部材によって有効に抑制することができる。
【００１１】
請求項５に記載の空気調和装置の室内機は、請求項３または４に記載の空気調和装置の室内機において、環状部には径方向外方に突出した突出部が形成されている。この突出部に嵌合可能な装着用凹部が固定子取付部材に形成されている。この場合、固定子取付部材に形成された装着用凹部が、環状部に形成された突出部に嵌合可能になっているので、モータ回転子からモータ固定子に伝達された振動を固定子取付部材に確実に伝達できる。これにより、モータ回転子からモータ固定子に伝達された振動を固定子取付部材よって有効に抑制することができる。
【００１２】
請求項６に記載の空気調和装置の室内機は、請求項５に記載の空気調和装置の室内機において、孔または凹部が装着用凹部のモータ回転子の回転方向片側または両側に形成されている。この場合、固定子取付部材において、孔または凹部が装着用凹部のモータ回転子の回転方向片側または両側に形成されているので、ケース本体とモータ固定子とに生じる振動を、固定子取付部材の孔または凹部によって有効に吸収して抑制することができる。
【００１３】
請求項７に記載の空気調和装置の室内機は、請求項１から５のいずれかに記載の空気調和装置の室内機において、孔または凹部がモータ回転子の回転方向に間隔を隔てて、固定子取付部材に複数形成されている。この場合、固定子取付部材においてモータ回転子の回転方向に間隔を隔てて孔または凹部が複数形成されているので、ケース本体とモータ固定子とに生じる振動を、固定子取付部材の孔または凹部によって有効に吸収して抑制することができる。
【００１４】
請求項８に記載の空気調和装置の室内機は、請求項４から７のいずれかに記載の空気調和装置の室内機において、モータ回転子は円筒部と円筒部の一端に一体に形成される底部とからなる。そして、固定子取付部材の少なくとも一部が円筒部の他端と環状部との回転軸方向間に配置されている。この場合、固定子取付部材の少なくとも一部が円筒部の他端と環状部との回転軸方向間に配置されているので、モータ回転子とファンロータとが回転軸方向に移動するようなことがあっても、モータ回転子とモータ固定子との衝突を固定子取付部材によって緩衝することができる。
【００１５】
請求項９に記載の空気調和装置の室内機は、請求項１から８のいずれかに記載の空気調和装置の室内機において、モータ回転子がモータ固定子の径方向外方に配置されている。この場合、モータ回転子がモータ固定子の径方向外方に配置されているので、モータ回転子とファンロータとの回転軸方向の長さを短くすることができ、送風装置の占めるスペースを低減することができる。このような空気調和装置の室内機においても、モータ固定子とケース本体との間に固定子取付部材を設けておけば、ケース本体とモータ固定子とに生じる振動を、固定子取付部材の孔または凹部によって吸収して抑制することができる。
【発明の効果】
【００１６】
本発明によれば、以下の効果が得られる。
請求項１に係る発明では、モータ固定子とケース本体との間に固定子取付部材が設けられている。この固定子取付部材には、モータ回転子の回転方向の剛性を小さくするための孔または凹部が形成されている。これにより、モータ回転子やファンロータに回転速度むらやトルクむら等が生じることがあっても、ケース本体とモータ固定子とに生じる振動を、固定子取付部材の孔または凹部によって吸収して抑制することができる。つまり、固定子取付部材をモータ固定子とケース本体との間に設けるといった簡易な構成で、ケース本体とモータ固定子とに生じる振動を抑制することができる。このとき、固定子取付部材に形成された孔または凹部は、固定子取付部材の剛性をモータ回転子の回転方向に小さくするように設けられるので、モータ回転子の回転軸方向へのモータ固定子の固定度は維持することができる。
【００１７】
請求項２に係る発明では、固定子取付部材が、直方体形状の弾性部材になっており、長辺方向がモータ回転子の回転方向に沿うようにモータ固定子に装着されている。これにより、固定子取付部材の弾性によって、ケース本体とモータ固定子とに生じる振動を吸収して抑制することができる。また、固定子取付部材は長辺方向がモータ回転子の回転方向に沿うようにモータ固定子に装着されているので、固定子取付部材に孔または凹部が形成されても、モータ固定子の剛性がモータ回転子の回転方向に大きく低下しないようにすることができる。
【００１８】
請求項３に係る発明では、固定子取付部材が、モータ固定子の径方向外方に突出した環状部に装着されている。これにより、モータ回転子の回転軸上から固定子取付部材までの垂直方向距離を大きく確保することができる。したがって、モータ回転子からモータ固定子に振動が伝達されたときに、環状部から固定子取付部材に入力されるモータ回転子の回転方向の外力が小さくなり、モータ回転子からモータ固定子に伝達された振動を固定子取付部材によって抑制しやすくなる。
【００１９】
請求項４に係る発明では、環状部の外周面に設けられた面取り部に、固定子取付部材が接するように装着されている。これにより、固定子取付部材と環状部との密着性を向上することができる。したがって、モータ回転子からモータ固定子に伝達された振動を、固定子取付部材に有効に伝達することができ、固定子取付部材によって有効に抑制することができる。
【００２０】
請求項５に係る発明では、固定子取付部材に形成された装着用凹部が、環状部に形成された突出部に嵌合可能になっている。これにより、モータ回転子からモータ固定子に伝達された振動を、固定子取付部材に確実に伝達でき、固定子取付部材よって有効に抑制することができる。
請求項６に係る発明では、固定子取付部材において、孔または凹部が装着用凹部のモータ回転子の回転方向片側または両側に形成されている。これにより、ケース本体とモータ固定子とに生じる振動を、固定子取付部材の孔または凹部によって有効に吸収して抑制することができる。
【００２１】
請求項７に係る発明では、孔または凹部がモータ回転子の回転方向に間隔を隔てて、固定子取付部材に複数形成されている。これにより、ケース本体とモータ固定子とに生じる振動を、固定子取付部材の孔または凹部によって有効に吸収して抑制することができる。
請求項８に係る発明では、固定子取付部材の少なくとも一部が、モータ回転子の円筒部の他端と環状部との回転軸方向間に配置されている。これにより、モータ回転子とファンロータとが回転軸方向に移動するようなことがあっても、モータ回転子とモータ固定子との衝突を固定子取付部材によって緩衝することができる。
【００２２】
請求項９に係る発明では、モータ回転子がモータ固定子の径方向外方に配置されている。これにより、モータ回転子とファンロータとの回転軸方向の長さを短くすることができ、送風装置の占めるスペースを低減することができる。このような空気調和装置の室内機においても、モータ固定子とケース本体との間に固定子取付部材を設けておけば、ケース本体とモータ固定子とに生じる振動を、固定子取付部材の孔または凹部によって吸収して抑制することができる。
【発明を実施するための最良の形態】
【００２３】
＜空気調和装置の全体構成＞
本発明の一実施形態が採用された空気調和装置１の外観を図１に示す。
この空気調和装置１は、調和された空気を室内に供給するための装置である。空気調和装置１は、室内の壁面などに取り付けられる室内機２と、室外に設置される室外機３とを備えている。
【００２４】
室内機２内には室内熱交換器５０が収納され、室外機３内には室外熱交換器３０が収納される。また、各熱交換器３０、５０が冷媒配管４により接続されることにより、冷媒回路が構成されている。
＜空気調和装置の冷媒回路の概略構成＞
空気調和装置１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００２５】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって中心軸を中心にして回転駆動される。室内機２の詳細な構成については後に説明する。
【００２６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。四路切換弁３３は、ガス閉鎖弁３７を介して配管４２に接続されており、この配管４２を介して室内熱交換器５０の一端と接続されている。電動膨張弁３４は、フィルタ３５および液閉鎖弁３６を介して配管４１に接続されており、この配管４１を介して室内熱交換器５０の他端と接続されている。この配管４１、４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動されている。
【００２７】
＜室内機の構成＞
室内機２は、正面視において横方向に長い形状を有している（図１参照）。室内機２は、主として、上部ケーシング６、室内機２の内部に収容されている室内熱交換器ユニット５（図３参照）および送風機構７によって構成されている。
上部ケーシング６は、図３に示すように、室内機２の上部を覆っている。この上部ケーシング６には、吸い込み口６０、６１が設けられている。室内熱交換器ユニット５は、室内熱交換器５０、補助配管（図示せず）等によって構成されている。室内熱交換器５０は、クロスフローファン７１の円周面に対向して配置されており、クロスフローファン７１の前方、上方および後方を取り囲むように取り付けられている。室内熱交換器５０では、クロスフローファン７１を回転させることで吸い込み口６０、６１から吸い込まれた空気を吸い込み口６０、６１側からクロスフローファン７１側に通過させるときに、伝熱管の内部を通過する冷媒との間で熱交換が行われている。補助配管は、室内熱交換器５０と室内機２の外部にある冷媒配管４とを繋いでいる。この補助配管には、室内熱交換器５０と室外熱交換器３０との間を行き来する冷媒が流れている。
【００２８】
＜送風機構の構成＞
送風機構７は、室内熱交換器５０において熱交換された空気を室内に送風するための装置である。送風機構７は、室内機２の下部を構成しており、図３および図４に示すように、主に、下部ケーシング７０と、送風ユニット８と、固定子取付部材７７とを有している。
【００２９】
（下部ケーシング）
下部ケーシング７０は、外面部７９、支持部７８等によって構成されている。
外面部７９は、正面視において室内機２の外面として視野に現れる部分であり、上端が室内機２の前側に傾斜するように配置されている。また、外面部７９には、室内機２の長手方向に沿う開口からなる吹き出し口７４１が設けられている。吹き出し口７４１は、図３に示すように、クロスフローファン７１が収納された内部空間に連通している。この吹き出し口７４１から、クロスフローファン７１によって生成された空気流が室内へと吹き出される。また、吹き出し口７４１には、室内へと吹き出される空気流を案内する水平フラップ７４２が設けられている。水平フラップ７４２は、室内機２の長手方向に平行な軸を中心に回動自在に設けられている。この水平フラップ７４２は、フラップモータ（図示せず）によって回転駆動されることにより、吹き出し口７４１の開閉を行うことができる。
【００３０】
支持部７８は、外面部７９によって囲まれている。支持部７８には、送風ユニット８、電装品箱７３、室内熱交換器ユニット５等が取り付けられている。これら送風ユニット８、電装品箱７３、室内熱交換器ユニット５等は、支持部７８の下方で支持されている。また、支持部７８には、図４に示すように、後述する固定子取付部材７７を介して後述するステータ７２０を支持部７８に装着するための装着部７８ａが設けられている。
【００３１】
（送風ユニット）
送風ユニット８は、クロスフローファン７１と、クロスフローファン７１を回転させるための室内ファンモータ７２と、室内ファンモータ７２の駆動を制御するための電装品を収納する電装品箱７３と、クロスフローファン７１を支持するための軸受け部７４とを有している。
【００３２】
（クロスフローファン）
クロスフローファン７１は、ＡＳ樹脂などの樹脂製品であり、長細い円筒形状に構成される。このクロスフローファン７１は、中心軸すなわち回転軸Ａ１が水平になるように配置される。また、クロスフローファン７１は、図５に示すように、エンドプレート７１０、７１１と、第１シャフト７１２と、第２シャフト７１３と、羽部７１４とを有している。エンドプレート７１０、７１１は、クロスフローファン７１の両側に設けられている。エンドプレート７１０は、クロスフローファン７１と後述するロータ７２１とを連結するために、ロータ７２１側に配置されている。第１シャフト７１２はエンドプレート７１０の略中央、回転軸Ａ１上に配置され、エンドプレート７１０に連結されている。第２シャフト７１３はエンドプレート７１１の略中央、回転軸Ａ１上に配置され、エンドプレート７１１に連結されている。これら第１シャフト７１２と第２シャフト７１３とは、クロスフローファン７１が回転する際の回転軸となる。羽部７１４は、エンドプレート７１０，７１１の間に配置されている。このようなクロスフローファン７１が回転軸Ａ１周りに回転することにより、空気流が生成される。この空気流は、吸い込み口６０、６１から取り入れられ室内熱交換器５０を通り吹き出し口７４１から室内へと吹き出される空気の流れである。クロスフローファン７１は、側面視において室内機２の概ね中央に配置されている。
【００３３】
（室内ファンモータ）
室内ファンモータ７２は、クロスフローファン７１を回転軸Ａ１周りに回転駆動する。室内ファンモータ７２は、図４に示すような、薄型アウターロータ型のモータである。この室内ファンモータ７２は、図５に示すように、ロータ７２１とステータ７２０とを有している。
【００３４】
ロータ７２１は、微小な磁石粒を含む樹脂により形成されており、後述するステータ７２０の発生する磁界により回転軸Ａ１を中心に回転する。ロータ７２１は、円筒部７２１ａと円筒部７２１ａの一端に一体に形成される底部７２１ｂとからなっている。このロータ７２１は、底部７２１ｂにおいてクロスフローファン７１に連結されている。具体的には、ロータ７２１は、カシメ、ネジ、リベット、ピンなどでクロスフローファン７１のエンドプレート７１０に固定されたり、接着剤などでクロスフローファン７１のエンドプレート７１０に接着されたりする。また、ロータ７２１の円筒部７２１ａは、ステータ７２０の径方向外方に配置されている。
【００３５】
ステータ７２０は、ロータ７２１を回転させるためのものであり、磁界を発生させるための図示しない鉄心やコイルなどを有する。ステータ７２０には、径方向外方に突出した環状部７２０ａが一体に形成されている。環状部７２０ａには、図６に示すように、室内機２の正面側、背面側および下部側の外周面に、面取り部７２０ｃが形成されている。これら面取り部７２０ｃのそれぞれには、図５に示すように、径方向外方に突出した突出部７２０ｂが設けられている。突出部７２０ｂには、後述する固定子取付部材７７が装着され、この固定子取付部材７７を介してステータ７２０が支持部７８の装着部７８ａに取り付けられる（図４参照）。
【００３６】
（軸受け部）
軸受け部７４は、ステータ軸受け部７５と、支持部軸受け部７６とを有する（図５参照）。ステータ軸受け部７５には、第１軸受け７５１と、第１軸受け保持部７５２とが設けられている。支持部軸受け部７６には、第２軸受け７６１と、第２軸受け保持部７６２とが設けられている。
【００３７】
第１軸受け７５１は、合成樹脂製の部材であって、ステータ７２０の略中央部に配置される。この第１軸受け７５１は、クロスフローファン７１が回転軸Ａ１方向に移動できるように第１シャフト７１２を軸支している。第１軸受け保持部７５２は、合成樹脂製の円筒形状の部品であって、クロスフローファン７１の回転による第１軸受け７５１の微小振動を抑制するように第１軸受け７５１を支持している。
【００３８】
第２軸受け７６１は、第１軸受け７５１と同様の合成樹脂製の部材であって、クロスフローファン７１のエンドプレート７１１と対向する支持部７８の一部に設けられる。この第２軸受け７６１は、クロスフローファン７１が回転軸Ａ１方向に移動できるように第２シャフト７１３を軸支している。第２軸受け保持部７６２は、ゴム製の円筒形状の部品であって、クロスフローファン７１の回転による第２軸受け７６１の微小振動を抑制するように第２軸受け７６１を支持している。さらに、第２軸受け保持部７６２は、クロスフローファン７１のエンドプレート７１１に対向する支持部対向面Ｐ１からクロスフローファン７１のエンドプレート７１１に向かって突出している。これにより、例えば室内機２を搬送する時などに、クロスフローファン７１が支持部７８に向かって移動することがあっても、第２軸受け保持部７６２によって、クロスフローファン７１のエンドプレート７１１が支持部７８に当接しないようになっている。なお、クロスフローファン７１が回転する時には、エンドプレート７１１と第２軸受け保持部７６２とが当接しないようになっている。
【００３９】
（固定子取付部材）
固定子取付部材７７は、ゴム製の直方体形状の部品である。固定子取付部材７７は、図５および図７に示すように、第１凹部７７ａおよび第２凹部７７ｂを有している。
第１凹部７７ａは、図７に示すように、固定子取付部材７７を突出部７２０ｂに装着するために設けられており、固定子取付部材７７の長辺を有する一面Ｐ２の中央部に形成されている。この第１凹部７７ａを突出部７２０ｂに嵌合することによって、固定子取付部材７７はステータ７２０の環状部７２０ａに装着される。このとき、第１凹部７７ａの形成された固定子取付部材７７の一面Ｐ２が、面取り部７２０ｃに接するようにして配置される。このように環状部７２０ａの面取り部７２０ｃに配置された固定子取付部材７７は、図５に示すように、固定子取付部材７７の径方向外方側がロータ７２１の外周面の位置より外方側に突出している。また、固定子取付部材７７の径方向内方側が、ロータ７２１の外周面の位置より内方側に配置されている。そして、固定子取付部材７７の径方向内方側の一部が、環状部７２０ａとロータ７２１の円筒部７２１ａの他端との回転軸方向間に配置されている。この固定子取付部材７７は、径方向外方側において、ステータ７２０は支持部７８の装着部７８ａに装着される（図４参照）。
【００４０】
第２凹部７７ｂは、図７に示すように、固定子取付部材７７の剛性をロータ７２１の回転方向に小さくするために設けられている。第２凹部７７ｂは、第１凹部７７ａが形成された固定子取付部材７７の一面Ｐ２に対向する面Ｐ３上において、長辺方向に所定の間隔を隔てて第１凹部７７ａの両側に形成されている。
＜クロスフローファンおよびロータの回転が各部に及ぼす影響＞
以下に、クロスフローファン７１およびロータ７２１が回転したときに、クロスフローファン７１およびロータ７２１が各部に及ぼす影響について説明する。
【００４１】
クロスフローファン７１およびロータ７２１が第１および第２シャフト７１２，７１３の回転軸Ａ１まわりに回転すると、クロスフローファン７１およびロータ７２１の回転に伴う微小振動が、第１および第２シャフト７１２，７１３からステータ軸受け部７５および支持部軸受け部７６に伝達される。この微小振動は、ステータ軸受け部７５および支持部軸受け部７６において、第１および第２シャフト７１２，７１３を軸支する第１および第２軸受け７５１，７６１によって抑制される。
【００４２】
一方で、クロスフローファン７１およびロータ７２１が第１および第２シャフト７１２，７１３の回転軸Ａ１まわりに回転するときに、クロスフローファン７１およびロータ７２１に回転速度むらやトルクむら等が生じると、回転速度むらやトルクむら等に伴う振動が、第１および第２シャフト７１２，７１３からステータ軸受け部７５および支持部軸受け部７６に伝達される。この振動のうち微小振動に相当するものは、ステータ軸受け部７５および支持部軸受け部７６において、第１および第２シャフト７１２，７１３を軸支する第１および第２軸受け７５１，７６１によって抑制される。そして、第１および第２軸受け７５１，７６１によって抑制しきれなかった振動については、ステータ軸受け部７５からステータ７２０に、支持部軸受け部７６から支持部７８に伝達される。そして、ステータ軸受け部７５からステータ７２０に伝達された振動は、ステータ７２０の環状部面取り部７２０ｃに装着された固定子取付部材７７の第２凹部７７ｂによって吸収され抑制される。
【００４３】
＜本空気調和装置の特徴＞
（１）
この空気調和装置１では、ステータ７２０と支持部７８との間に固定子取付部材７７が設けられている。この固定子取付部材７７には、ロータ７２１の回転方向の剛性を小さくするための凹部が形成されている。これにより、クロスフローファン７１およびロータ７２１に回転速度むらやトルクむら等が生じることがあっても、支持部７８とステータ７２０とに生じる振動を、固定子取付部材７７の第２凹部７７ｂによって吸収して抑制することができる。このとき、固定子取付部材７７に形成された第２凹部７７ｂは、固定子取付部材７７の剛性をロータ７２１の回転方向に小さくするように設けられているので、ロータ７２１の回転軸方向へのステータ７２０の固定度は維持することができる。
【００４４】
（２）
この空気調和装置１では、固定子取付部材７７が、直方体形状のゴムで形成されている。これにより、固定子取付部材７７の弾性によって、支持部７８とステータ７２０とに生じる振動を吸収して抑制することができる。
（３）
この空気調和装置１では、固定子取付部材７７の長辺方向がロータ７２１の回転方向に沿うように、固定子取付部材７７がステータ７２０に装着されている。これにより、固定子取付部材７７に第２凹部７７ｂが形成されても、ステータ７２０の剛性がロータ７２１の回転方向に大きく低下しないようにすることができる。
【００４５】
（４）
この空気調和装置１では、固定子取付部材７７が、ステータ７２０の径方向外方に突出した環状部７２０ａに装着されている。これにより、ロータ７２１の回転軸Ａ１上から固定子取付部材７７までの垂直方向距離を大きく確保できる。したがって、ロータ７２１からステータ７２０に振動が伝達されたときに、環状部７２０ａから固定子取付部材７７に入力される外力が小さくなり、ロータ７２１からステータ７２０に伝達された振動を固定子取付部材７７によって抑制しやすくなる。
【００４６】
（５）
この空気調和装置１では、環状部７２０ａの外周面に設けられた面取り部に、固定子取付部材７７が接するように装着されている。これにより、固定子取付部材７７と環状部７２０ａとの密着性を向上することができる。したがって、ロータ７２１からステータ７２０に伝達された振動を、固定子取付部材７７に有効に伝達することができ、固定子取付部材７７によって有効に抑制することができる。
【００４７】
（６）
この空気調和装置１では、固定子取付部材７７に形成された第１凹部７７ａが、環状部７２０ａに形成された突出部７２０ｂに嵌合可能になっている。これにより、ロータ７２１からステータ７２０に伝達された振動を、固定子取付部材７７に確実に伝達でき、固定子取付部材７７よって有効に抑制することができる。
【００４８】
（７）
この空気調和装置１では、固定子取付部材７７において、第２凹部７７ｂが第１凹部７７ａのロータ７２１の回転方向両側に形成されている。これにより、支持部７８とステータ７２０とに生じる振動を、固定子取付部材７７の第２凹部７７ｂによって有効に吸収して抑制することができる。
【００４９】
（８）
この空気調和装置１では、固定子取付部材７７の少なくとも一部が、ロータ７２１の円筒部７２１ａの他端と環状部７２０ａとの回転軸方向間に配置されている。これにより、ロータ７２１とクロスフローファン７１とが回転軸方向に移動するようなことがあっても、ロータ７２１とステータ７２０との衝突を固定子取付部材７７によって緩衝することができる。
【００５０】
（９）
この空気調和装置１では、クロスフローファン７１を回転させる室内ファンモータ７２が、アウターロータ型のモータである。このため、室内ファンモータがインナーロータ型のモータである場合と比べて、回転軸Ａ１方向の長さが短くなる。これにより、この空気調和装置１では、室内ファンモータ７２の占めるスペースを低減することができる。
【００５１】
＜他の実施の形態＞
以上、本発明について説明したが、具体的な構成は、上記の実施の形態に限られるものではなく、発明の要旨を逸脱しない範囲で変更可能である。
（ａ）
本実施の形態では、固定子取付部材７７に第２凹部７７ｂを形成することによって、固定子取付部材７７の剛性がロータ７２１の回転方向に小さくなるようにしている。これに代えて、図８（ａ）に示すように、固定子取付部材１７７を貫通する孔１７７ｄを形成することで、固定子取付部材の剛性がロータの回転方向に小さくなるようにしても良い。
【００５２】
（ｂ）
本実施の形態では、第２凹部７７ｂを固定子取付部材７７の長辺方向に所定の間隔を隔てて第１凹部７７ａの両側に形成することで、固定子取付部材７７の剛性がロータ７２１の回転方向に小さくなるようにしている。これに代えて、図８（ｂ）および図８（ｃ）に示すように、第２凹部１７７ｂまたは孔１７７ｄを固定子取付部材１７７の長辺方向の第１凹部１７７ａ片側に形成することで、固定子取付部材１７７の剛性がロータの回転方向に小さくなるようにしても良い。
【００５３】
（ｃ）
本実施の形態では、第１凹部７７ａが形成された固定子取付部材７７の一面Ｐ２に対向する面Ｐ３上に第２凹部７７ｂを形成することで、固定子取付部材７７の剛性をロータ７２１の回転方向に小さくなるようにしている。これに代えて、図８（ｄ）に示すように、第１凹部１７７ａが形成された固定子取付部材１７７の一面Ｐ２に第２凹部１７７ｂを形成することで、固定子取付部材１７７の剛性がロータの回転方向に小さくなるようにしても良い。このとき、第２凹部１７７ｂは、必ずしも第１凹部７７ａの両側に形成されている必要はなく、第１凹部７７ａの片側だけに形成されていても良い。
【００５４】
（ｄ）
本実施の形態では、第１凹部７７ａが形成された固定子取付部材７７の一面Ｐ２に対向する面Ｐ３上において、第２凹部７７ｂを固定子取付部材７７の長辺方向に所定の間隔を隔てて第１凹部７７ａの両側に形成することで、固定子取付部材７７の剛性がロータ７２１の回転方向に小さくなるようにしている。これに代えて、図８（ｅ）に示すように、１つの第２凹部７７ｂを、第１凹部１７７ａが形成された固定子取付部材１７７の一面Ｐ２に対向する面Ｐ３上に形成して、もう１つの第２凹部１７７ｂを、第１凹部１７７ａが形成された固定子取付部材１７７の一面上に形成しても良い。
【００５５】
（ｅ）
本実施の形態では、固定子取付部材７７をステータ７２０に装着して、固定子取付部材７７を介してステータ７２０が支持部７８に取り付けられている。これに代えて、固定子取付部材を支持部に装着しておいて、固定子取付部材にステータを取り付けても良い。
（ｆ）
本実施の形態では、ゴム製の固定子取付部材７７の弾性によって、支持部７８とステータ７２０とに生じる振動を吸収して抑制している。これに代えて、ゴム製以外の弾性体によって固定子取付部材を形成して、支持部７８とステータ７２０とに生じる振動を吸収して抑制しても良い。
【００５６】
（ｇ）
本実施の形態では、固定子取付部材７７において、第２凹部７７ｂを第１凹部７７ａ両側の２箇所に形成することで、固定子取付部材７７の剛性がロータ７２１の回転方向に小さくなるようにしている。これに代えて、固定子取付部材において、第２凹部または孔をロータの回転方向に間隔を隔てて複数形成することで、固定子取付部材の剛性がロータの回転方向に小さくなるようにしても良い。
【図面の簡単な説明】
【００５７】
【図１】本発明の第１実施の形態が採用される空気調和装置の外観図。
【図２】冷媒回路の構成図。
【図３】室内機の右側面断面図。
【図４】送風ユニットの上面図。
【図５】クロスフローファンと室内ファンモータと支持部の一部とのＸ―Ｘ断面図。
【図６】固定子取付部材が装着されたステータとロータおよびクロスフローファンとの外観図。
【図７】固定子取付部材の拡大断面図。
【図８】本発明の他の実施の形態による図７に相当する図。
【符号の説明】
【００５８】
１                    空気調和装置
２                    室内機
５                    室内熱交換器ユニット（空気調和部）
６                    上部ケーシング（ケース本体）
７                    送風機構
８                    送風ユニット（送風装置）
５０                  室内熱交換器
７０                  下部ケーシング（ケース本体）
７１                  クロスフローファン（ファンロータ）
７７，１７７          固定子取付部材
７７ａ，１７７ａ      第１凹部（装着用凹部）
７７ｂ，１７７ｂ      第２凹部（凹部）
７８                  支持部（ケース本体）
７１２                第１シャフト（回転軸）
７１３                第２シャフト（回転軸）
７２０                ステータ（モータ固定子）
７２０ａ              環状部
７２０ｂ              突出部
７２０ｃ              面取り部
７２１                ロータ（モータ回転子）
７２１ａ              円筒部
７２１ｂ              底部
７５１                第１軸受け
７５２                第１軸受け保持部
７６１                第２軸受け
７６２                第２軸受け保持部
Ｐ２                  固定子取付部材の一面
Ｐ３                  固定子取付部材の一面に対向する面
【図１】
2005030689.tif 000003
【図２】
2005030689.tif 000004
【図３】
2005030689.tif 000005
【図４】
2005030689.tif 000006
【図５】
2005030689.tif 000007
【図６】
2005030689.tif 000008
【図７】
2005030689.tif 000009
【図８】
2005030689.tif 000010